(57)【要約】【課題】  仕切板の容器に対する取り付け部分の気密性を高めることができると共に、より簡便に製造することができる燃料電池モジュールを提供すること。【解決手段】  燃料電池モジュールＦＣは、燃料電池セル集合体２を収容し、燃料ガス及び空気を電気化学反応させて発電させる発電室１５と排燃料ガス及び排酸化剤ガスを燃焼させる燃焼室１４とが形成される容器７と、発電室１５及び燃焼室１４を仕切る仕切板１３と、を備え、容器７は、発電室側の第一容器７２と燃焼室側の第二容器７１とに仕切板１３を介して分割されており、第一容器７２は、仕切板側の開口端部にフランジ部７２ａを有し、第二容器７１は、仕切板側の開口端部にフランジ部７１ａを有し、各フランジ部７１ａ，７２ａは、対向して配置され、仕切板１３は、各フランジ部７１ａ，７２ａで挟持されることを特徴とする。【選択図】  図１
2009176632.tif 000002
【特許請求の範囲】
【請求項１】
空気と燃料ガスにより作動する複数の電気的に繋げられた燃料電池セルと、
前記複数の電気的に繋げられた燃料電池セルを収容し、空気及び燃料ガスを前記複数の電気的に繋げられた燃料電池セルに供給して発電させるための発電室と、前記発電室における発電に用いられた残余の空気及び残余の燃料ガスを燃焼させるための燃焼室と、を有する容器と、
前記発電室と前記燃焼室とを仕切る仕切板と、を備える燃料電池モジュールであって、
前記容器は、前記発電室側の第一容器と前記燃焼室側の第二容器とに分割されており、
前記第一容器は前記第二容器に向かう開口部の周縁を囲繞する第一保持面を有し、前記第二容器は前記第一容器に向かう開口部の周縁を囲繞する第二保持面を有しており、
前記仕切板は前記第一保持面と前記第二保持面とによって挟持されていることを特徴とする燃料電池モジュール。
【請求項２】
前記第一容器は前記開口部の周縁から外側に突出する第一鍔部を有し、前記第二容器は前記開口部の周縁から外側に突出する第二鍔部を有しており、
前記第一保持面は前記第一鍔部に、前記第二保持面は前記第二鍔部に、それぞれ形成されていることを特徴とする請求項１に記載の燃料電池モジュール。
【請求項３】
前記第一鍔部を前記仕切板に押圧させると共に、前記第二鍔部を前記仕切板に押圧させる押圧装置を備え、
前記押圧装置は、所定間隔をおいて複数配置されていることを特徴とする請求項２に記載の燃料電池モジュール。
【請求項４】
前記押圧装置は、前記第一鍔部及び前記第二鍔部のそれぞれを前記仕切板に押圧させる押圧力を調整可能なように構成されていることを特徴とする請求項３に記載の燃料電池モジュール。
【請求項５】
前記押圧装置は、少なくともボルトを有しており、
前記第一鍔部及び前記第二鍔部には、互いに対応する位置に前記ボルトを挿通するための貫通部分が所定間隔をおいて複数形成されていることを特徴とする請求項４に記載の燃料電池モジュール。
【請求項６】
前記第一鍔部及び前記第二鍔部は、それぞれの外周端部が互いに溶接で接合されていることを特徴とする請求項２記載の燃料電池モジュール。
【請求項７】
請求項１〜６に記載のいずれかの燃料電池モジュールを備える燃料電池。
【発明の詳細な説明】
【技術分野】
【０００１】
本発明は、固体酸化物形燃料電池（ＳＯＦＣ）に使用される燃料電池モジュール、及びその燃料電池モジュールを備える燃料電池に関する。
【背景技術】
【０００２】
従来から、複数の燃料電池セルを収容する容器内において、容器内に取り付けられる仕切板で、発電室と燃焼室とを仕切って形成する燃料電池が知られている。この仕切板には設計上意図した通気性能が持たせてあるのが一般的である。仕切板に設計上意図した通気性能を持たせるのは、発電室内の燃料ガスの流れを均一化し、発電室内の全ての燃料電池セルの発電性能を最大限に活用するためである。また、仕切板に通気性能を持たせているため、燃焼室から発電室へ酸化剤ガスとしての空気が流れ込む恐れがあるので、発電室内の内圧を高めてその空気の流れ込みを防止している。このような燃料電池では、設計上意図した通気性能を確保するため、想定外の空気の流入を避ける必要があり、容器と仕切板との境界部分における気密性の確保が重要となる。また、燃料電池セルが仕切板を突き抜けて燃焼室内に突出している場合には、同様の理由により、燃料電池セルと仕切板との境界部分における気密性の確保が重要となる。
【０００３】
仕切板近傍の気密性確保の観点から、下記特許文献１に記載の燃料電池が提案されている。下記特許文献１に記載の燃料電池は、容器の材料と仕切板の材料との間の熱膨張係数の差に起因する隙間の発生を防止するために、仕切板と容器との間に繊維状セラミックスを充填している。下記特許文献１に記載の構成では、装置の大型化に対応することが難しい。例えば、発電容量を大きくするために燃料電池セルの数を増やし、それに伴って容器を大型化すると、加熱時において容器と仕切板との熱膨張量の差が大きくなり、容器の内壁と仕切板の外周面との隙間の間隔がより大きくなりやすい。このとき、上述したような繊維状のセラミックスを充填する手法では、隙間の大きな変動に追随することができなくなり、容器の内壁と仕切板の外周面との気密性が低下する恐れがある。
【０００４】
このような下記特許文献１に記載の問題を解決するために、更に下記特許文献２に記載されているような燃料電池も提案されている。下記特許文献２に記載されている燃料電池は、容器の側壁から内部に向けて突出する隔壁板を用いて仕切板を容器に取り付けており、この隔壁板により仕切板の外周面と容器の内壁面との隙間を埋めることで、燃料ガスの漏出を防止している。
【特許文献１】特開平１１−１６２４９８号公報
【特許文献２】特開２００４−１１９２０７号公報
【発明の開示】
【発明が解決しようとする課題】
【０００５】
上記特許文献２に記載されている形燃料電池においては、容器の内壁に設ける隔壁板に仕切板を取り付けることで仕切板の外周面と容器の内壁面との隙間を埋めている。このため、隙間の間隔が大きくなっても気密性を保つことができるものの、仕切板を隔離板に取り付ける際に、確実に密着させる必要があるため高い施工精度が要求される。また、上気特許文献２には、隔壁板を板バネ状にして仕切板を挟み込む構成としたものも開示されているが、この構成では容器が直方体状だった場合に、各コーナー部においては各辺部における板バネ状と同様の構成とすることが難しく、各コーナー部においても確実に気密性を保つことが困難である。
【０００６】
そこで、本発明では、仕切板の容器に対する取り付け部分の気密性を確保しつつ、より簡便に製造することができる燃料電池モジュール及びそれを備える燃料電池を提供することを目的とする。
【課題を解決するための手段】
【０００７】
上記目的を達成するために、本発明に係る燃料電池モジュールは、空気と燃料ガスにより作動する複数の電気的に繋げられた燃料電池セルと、前記複数の電気的に繋げられた燃料電池セルを収容し、空気及び燃料ガスを前記複数の電気的に繋げられた燃料電池セルに供給して発電させるための発電室と、前記発電室における発電に用いられた残余の空気及び残余の燃料ガスを燃焼させるための燃焼室と、を有する容器と、前記発電室と前記燃焼室とを仕切る仕切板と、を備える燃料電池モジュールであって、前記容器は、前記発電室側の第一容器と前記燃焼室側の第二容器とに分割されており、前記第一容器は前記第二容器に向かう開口部の周縁を囲繞する第一保持面を有し、前記第二容器は前記第一容器に向かう開口部の周縁を囲繞する第二保持面を有しており、前記仕切板は前記第一保持面と前記第二保持面とによって挟持されている。また、本発明に係る燃料電池は、上述した燃料電池モジュールを備えている。
【発明の効果】
【０００８】
本発明によれば、仕切板の容器に対する取り付け部分の気密性を高めることができると共に、より簡便に製造することができる燃料電池モジュール及び燃料電池を提供することができる。
【発明を実施するための最良の形態】
【０００９】
本発明を実施するための最良の形態を説明するのに先立って、本発明の作用効果について説明する。
【００１０】
本発明に係る燃料電池モジュールは、空気と燃料ガスにより作動する複数の電気的に繋げられた燃料電池セルと、前記複数の電気的に繋げられた燃料電池セルを収容し、空気及び燃料ガスを前記複数の電気的に繋げられた燃料電池セルに供給して発電させるための発電室と、前記発電室における発電に用いられた残余の空気及び残余の燃料ガスを燃焼させるための燃焼室と、を有する容器と、前記発電室と前記燃焼室とを仕切る仕切板と、を備える燃料電池モジュールであって、前記容器は、前記発電室側の第一容器と前記燃焼室側の第二容器とに分割されており、前記第一容器は前記第二容器に向かう開口部の周縁を囲繞する第一保持面を有し、前記第二容器は前記第一容器に向かう開口部の周縁を囲繞する第二保持面を有しており、前記仕切板は前記第一保持面と前記第二保持面とによって挟持されている。
【００１１】
本発明によれば、仕切板を第一容器の第一保持面と第二容器の第二保持面とで挟持するので、仕切板と第一保持面及び第二保持面とを容易に密着させることができる。第一容器は発電室側の空間を形成し、第二容器は燃焼室側の空間を形成するので、発電室と燃焼室とを仕切板によって確実に気密性を保って分離できる。第一容器と仕切板とは第一保持面において面接触しており、第二容器と仕切板とは第二保持面において面接触している。従って、容器を形成する材料の熱膨張率と仕切板を形成する材料の熱膨張率が異なり、例えば容器が仕切板よりも大きな熱膨張量となっても、その面接触している部分によって熱膨張量の差を吸収することができるので、気密性をより確実に確保することができる。更に、容器は第一容器と第二容器とに分割されていて、第一容器内に燃料電池セル等を配置した後に仕切板を配置した後に第二容器を配置することができるので、上述したような発電室と燃焼室とを仕切板によって確実に気密性を保って分離する燃料電池モジュールをより簡便に製造することができる。
【００１２】
また、本発明に係る燃料電池モジュールにおいては、前記第一容器は前記開口部の周縁から外側に突出する第一鍔部を有し、前記第二容器は前記開口部の周縁から外側に突出する第二鍔部を有しており、前記第一保持面は前記第一鍔部に、前記第二保持面は前記第二鍔部に、それぞれ形成されていることも好ましい。この好ましい態様によれば、第一保持面は第一鍔部に第二保持部は第二鍔部にそれぞれ形成されており、第一鍔部は第一容器の開口部の周縁から外側に突出し、第二鍔部は第二容器の開口部の周縁から外側に突出している。従って、第一容器及び第二容器が仕切板を保持する部分が、容器の内部には形成されないので、容器の内部空間を有効に利用することができる。また、第一容器及び第二容器が仕切板を保持する部分が確実に容器の外側になるので、第一容器と第二容器とによって仕切板を挟み込む場合に仕切板の位置調整が容易なものとなる。
【００１３】
また、本発明に係る燃料電池モジュールにおいては、前記第一鍔部を前記仕切板に押圧させると共に、前記第二鍔部を前記仕切板に押圧させる押圧装置を備え、前記押圧装置は、所定間隔をおいて複数配置されている。この好ましい態様によれば、所定間隔をおいて複数配置された押圧装置によって、第一鍔部及び第二鍔部をそれぞれ反対方向から仕切板に押圧することができるので、仕切板を偏りなく意図した圧力で保持することができる。
【００１４】
また、本発明に係る燃料電池モジュールにおいては、前記押圧装置は、前記第一鍔部及び前記第二鍔部のそれぞれを前記仕切板に押圧させる押圧力を調整可能なように構成されていることも好ましい。この好ましい態様によれば、所定間隔をおいて複数配置された押圧装置による押圧力を調整できるので、各押圧装置が配置された場所に適した押圧力に調整することができ、より正確に仕切板を偏りなく意図した圧力で保持することができる。
【００１５】
また、本発明に係る燃料電池モジュールにおいては、前記押圧装置は、少なくともボルトを有しており、前記第一鍔部及び前記第二鍔部には、互いに対応する位置に前記ボルトを挿通するための貫通部分が所定間隔をおいて複数形成されていることも好ましい。第一鍔部及び第二鍔部のそれぞれ対応する位置に貫通部分が複数形成されているので、ボルトをその貫通部分に挿通して第一容器及び第二容器を仕切板に押圧させることができる。ボルトは貫通部分に挿通されるので脱落する恐れがなく、ボルトの締め付けを調整することで容易に押圧力も調整することができる。
【００１６】
また、本発明に係る燃料電池モジュールにおいては、前記第一鍔部及び前記第二鍔部は、それぞれの外周端部が互いに溶接で接合されていることも好ましい。この好ましい態様によれば、外周端部を気密に塞ぐことができ、より確実に燃料ガスの漏出を防止することができる。
【００１７】
また、上述した本発明に係る燃料電池モジュールを備える燃料電池を構成すれば、同様の作用効果を奏する燃料電池を提供できる。
【００１８】
以下、添付図面を参照して、本発明の好適な実施形態について詳細に説明する。なお、図面の説明において同一又は相当部分には同一符号を付し、重複する説明は省略する。
【００１９】
図１は、本発明に係る燃料電池モジュールの一実施形態を示す概略断面図である。図１において、燃料電池モジュールＦＣは、燃料ガスと空気（酸化剤ガス）とを電気化学反応させることで発電するための装置として構成されている。
【００２０】
図１に示されるように、燃料電池モジュールＦＣは、発電するための燃料電池セル集合体２を有している。燃料電池セル集合体２は、複数の有底筒状の燃料電池セル３を有し、それぞれの燃料電池セル３は、その開口部３ａが上側となるように並列に配置されている。この燃料電池セル３は、筒の内側から外側に向かって空気極、固体酸化物電解質、燃料極の多層構造を有しており、内壁に空気、外壁に燃料ガスが接触することで電気化学反応が起こり発電される。また、各燃料電池セル３は、電気的に並列または直列に接続されている。燃料電池セル集合体２の端部には、集電部材（図示しない）が設けられ、更に集電ロッド（図示しない）を介して外部に電力がとりだされる。
【００２１】
燃料電池セル集合体２の上方には、空気分配室４が設けられている。この空気分配室４は、各燃料電池セル３に供給する空気の流路を燃料電池セル３の数に応じて複数の系統に分配するためのものである。空気分配室４の上流側（図中上側）には、空気供給管５が設けられ、この空気供給管５の上流側は空気の供給元に連結されている。また、空気分配室４の下流側（図中下側）には、分配された流路を形成する複数の空気導入管６が設けられている。この空気導入管６は、燃料電池セル３の空気極に空気を導入するものであり、燃料電池セル３の管内に挿入され、その下端部は燃料電池セル３の底面付近まで延びている。
【００２２】
燃料電池セル集合体２及び空気分配室４は、直方体形状の容器７に収容されている。この容器７は、運転時に高温になることから、例えば、インコネルやステンレスなどの耐熱性の合金材料により形成されている。
【００２３】
容器７内の下方には、燃料ガスを容器７内に導入するための燃料ガス分散板８が設けられている。この燃料ガス分散板８には、複数の燃料ガス導入孔９が一様に設けられている。燃料ガス分散板８の下側には、燃料分配室１１が設けられている。この燃料分配室１１は、容器７内に供給する燃料ガスを均一に分散させるためのものである。また、燃料分配室の上流側（図中下側）には、燃料ガス供給管１２が設けられ、この燃料ガス供給管１２の上流側は燃料ガスの供給元に連結されている。
【００２４】
容器７内には、燃料電池セル３の軸方向に対して垂直方向に延びる仕切板１３が設けられている。そして、容器７内において、この仕切板１３で仕切られた上側に燃焼室１４が形成され、下側に発電室１５が形成される。ここで、燃焼室１４は、発電室１５で反応に寄与しなかった余剰の燃料ガスと、各燃料電池セル３の筒内で反応に寄与しなかった余剰の空気とを混合して燃焼させるための空間である。発電室１５は、燃料ガス導入孔９から導入される燃料ガスを各燃料電池セル３に接触させ、各燃料電池セル３の管内に流れる空気との電気化学反応を生じさせて発電させるための空間である。
【００２５】
仕切板１３は、アルミナ繊維を積層してブランケット状に形成したものが用いられている。仕切板１３には、燃料電池セル３を挿入するための円形の挿入孔１６が形成されている。この挿入孔１６は、燃料電池セル３の配列に対応する位置に複数形成されており、各燃料電池セル３の開口端部側が挿入孔１６に固定されている。また、仕切板１３には、排燃料ガスを発電室１５から燃焼室１４に排出するための燃料ガス排出孔１７が複数形成されている。燃料ガス排出孔１７は、発電室１５における燃料ガスの流れを整えると共に、発電室１５の内部圧力を燃焼室１４の内部圧力よりも高くするための適正な通気機能を有する。この適正な通気機能は、燃料ガス排出孔１７の形成位置、開口面積等を調整することで付与される。したがって、適正な通気機構を維持するために、仕切板１３は、燃料ガス排出孔１７以外の部分、すなわち仕切板１３の容器７に対する取り付け部分が気密に保たれる必要がある。
【００２６】
容器７は、燃焼室１４側の第二容器７１と発電室１５側の第一容器７２とに分割されている。第一容器７２と第二容器７１とが接合される部分の詳細について、図２を参照しながら説明する。図２は、本発明に係る燃料電池モジュールの一実施形態を示す部分拡大図である。
【００２７】
第一容器７２は、図中上方が開口しており、その開口部の周縁から外側に向かって突出するフランジ部７２ａ（第一鍔部）が一体的に形成されている。また、第二容器７１は、図中下方が開口しており、その開口部の周縁から外側に向かって突出するフランジ部７１ａ（第二鍔部）が一体形成されている。フランジ部７２ａは第一保持面７２ｂを、フランジ部７１ａは第二保持面７１ｂをそれぞれ有している。
【００２８】
仕切板１３は、第二容器７１と第一容器７２の間に配置され、対向配置されるそれぞれのフランジ部７１ａ，７２ａの第二保持面７１ｂと第一保持面７２ｂとによって、その外周端部が挟持されている。これにより、仕切板１３によって、第二容器７１及び第一容器７２の開口部が塞がれて、燃焼室１４と発電室１５とは意図して通気性を確保している部分を除いては気密に仕切られる。
【００２９】
このように構成された燃料電池モジュールＦＣの動作について説明する。まず、発電室１５を電気化学反応が生じる温度（７００〜１０００℃）に昇温する。燃料ガスを燃料ガス供給管１２に供給し、燃料ガス分配室１１内に貯留する。貯留された燃料ガスは、燃料ガス分散板８に形成された複数の燃料ガス導入孔９から容器７内に導入され、容器７内を各燃料電池セル３を包囲しながら上方に流れる。このとき、燃料ガスは、燃料極に接触して反応に供される。反応で消費されなかった燃料ガスは、排燃料ガスとして仕切板１３の燃料ガス排出孔１７を通って燃焼室１４に達する。
【００３０】
また、空気を空気供給管５に供給し、空気分配室内４に貯留する。貯留された空気は、複数の空気導入管６内を下方に流れ、下端から燃料電池セル３の筒内に流出する。流出した空気は、燃料電池セル３の筒内を上方に流れる。このとき、空気は、空気極に接触して反応に供される。反応で消費されなかった空気は、排空気として燃料電池セル３の開口部３ａから燃焼室１４に達する。
【００３１】
燃焼室１４に達した排燃料ガスと排空気とは、所定の点火装置を用いて燃焼され排出ガスが、容器７の上壁に連結された排ガス管から燃焼室１４の外に排出される。この排出ガスは高温となるために、発電室１５を加熱するための熱源として利用される。
【００３２】
発電室１５で電気化学反応によって、発電された電力は、燃料電池セル集合体の集電部材（図示しない）、電極ロッド（図示しない）を介して外部に取り出される。
【００３３】
続いて、図３を参照しながら、燃料電池モジュールＦＣを用いた燃料電池ＦＣＳの構成について説明する。図３は、燃料電池ＦＣＳの構成を示すブロック図である。図３に示すように、燃料電池ＦＣＳは、燃料電池モジュールＦＣと、燃料供給部ＦＰと、空気供給部ＡＰと、水供給部ＷＰと、電力取出部ＥＰと、制御部ＣＳとを備えている。燃料供給部ＦＰ、空気供給部ＡＰ、水供給部ＷＰ、及び電力取出部ＥＰは、燃料電池ＦＣＳの補器ＡＤを構成している。
【００３４】
燃料供給部ＦＰは、燃料供給源としての都市ガス配管から燃料ガスを燃料電池モジュールＦＣに供給する部分であって、燃料ポンプ、電磁弁を有している。燃料供給部ＦＰから供給される燃料ガスは燃料ガス供給管１２へと送り出される。
【００３５】
空気供給部ＡＰは、空気供給源としての大気中から空気を燃料電池モジュールＦＣに供給する部分であって、空気ブロア、電磁弁を有している。空気供給部ＡＰから供給される空気は空気供給管５へと送り出される。
【００３６】
水供給部ＷＰは、水供給源としての水道管から水を燃料電池モジュールＦＣに供給する部分であって、水ポンプ、電磁弁を有している。水供給部ＷＰから供給される水は、燃料モジュールＦＣ内部で水蒸気となって送り出される。
【００３７】
電力取出部ＥＰは、燃料電池モジュールＦＣから電力を取り出す部分であって、インバータ等の電力変換装置を有している。電力取出部ＥＰは、集電ロッド（図示しない）と繋がっていて、変換した電力は電力供給先へと送り出すように構成されている。
【００３８】
制御部ＣＳは、燃料供給部ＦＰ、空気供給部ＡＰ、駆動補器ＡＤ、及び電力取出部ＥＰのそれぞれを制御するための部分であって、ＣＰＵやＲＯＭを有している。上述したような燃料電池モジュールＦＣの動作は、制御部ＣＳからの指示信号に基づいて実行される。
【００３９】
次に他の実施形態に係る燃料電池モジュールの態様について図４及び図５を参照しながら説明する。図４及び図５は、フランジ部７１ａとフランジ部７２ａとを仕切板１３に押圧させる押圧装置を備えた例を示す図である。
【００４０】
図４に示されるように、他の実施形態に係る燃料電池モジュールＦＣａには、第二容器７１及び第一容器７２の各フランジ部７１ａ，７２ａを仕切板１３に押圧させるための押圧装置２１が設けられている。この押圧装置２１は、各フランジ７１ａ，７２ａの周方向に等間隔に複数配置されている。押圧装置２１は、各フランジ部７１ａ，７２ａの外側から挟み込む保持部材２１１と、各フランジ部７１ａ，７２ａを締め付けるボルト２１２とを備えている。
【００４１】
保持部材２１１は、断面コ字状の金具であって、それぞれ板状の、第一部分２１１ａと、第二部分２１１ｂと、第三部分２１１ｃとを備えている。第一部分２１１ａと第三部分２１１ｃとは、第二部分２１１ｂの両端から同じ方向に延びている。第一部分２１１ａをフランジ部７２ａの下面（仕切板１３と当接する第一保持面７２ｂとは反対側の面）に当接させると、第三部分２１１ｃがフランジ部７１ａとは離隔して配置されるように、第二部分２１１ｂの長さが設定されている。
【００４２】
第三部分２１１ｃには、ボルト２１２が螺合されるナット２１３が取り付けられており、そのナット２１３に対応する位置にボルト２１２が貫通する穴（図示しない）が設けられている。従って、ボルト２１２をナット２１３に螺合して、ボルト２１２の先端がフランジ部７１ａに近づくようにボルト２１２の締付量を調整することで、仕切板１３を押圧する圧力を調整することができる。
【００４３】
この他の実施形態に係る燃料電池モジュールＦＣａによれば、押圧装置２１が設けられているので、各フランジ部７１ａ，７２ａと仕切板１３の密着性を高めることができ、仕切板１３の容器７に対する取り付け部分の気密性をより高めることができる。更に、押圧具２１は、ボルト２１２を有しているので、ボルト２１２の締付量を調整することで、各フランジ部７１ａ，７２ａで仕切板１３を周方向に均等に押圧した状態で挟持することができる。したがって、仕切板１３の容器７に対する取り付け部分の気密性をより高めることができる。
【００４４】
図５は、本発明に係る燃料電池モジュールの更に他の実施形態を示す部分拡大図である。
【００４５】
図５に示されるように、燃料電池モジュールＦＣｂは、燃焼室容器７１のフランジ部７１ａ、仕切板１３及び発電室容器７２のフランジ部７２ａ、それぞれには対応する位置に複数の貫通孔（図示しない、貫通部分）が周方向において略等間隔に形成されている。また、本実施形態の場合には、仕切板１３にも同様に対応する位置に複数の貫通孔が形成されている。従って、それぞれの貫通孔が繋がっており、フランジ部７１ａの外側（図中上側）からフランジ部７２ａの外側（図中下側）まで連通している。
【００４６】
押圧装置としての締付具２２は、ボルト２２ａとナット２２ｂとを有している。ボルト２２ａは、フランジ部７１ａ側から各貫通孔に挿通され先端がフランジ部７２ａ側に突出している。そして、突出したボルト２２ａ先端には、フランジ部７２ａ側からナット２２ｂが螺合されている。ボルト２２ａ及びナット２２ｂの締付量を調整することで、仕切板１３を押圧する圧力を調整することができる。
【００４７】
この燃料電池モジュールＦＣｂによれば、各フランジ部７１ａ，７２ａで仕切板１３を周方向で均等に押圧した状態で挟持することができるので、安定して気密性を保つことができる。更に、ボルト２２ａを各貫通孔に挿通するので、組み立て時に締付具２２の位置決めが容易となると共に、締付具２２の脱落を防止することができる。
【００４８】
図６は、本発明に係る燃料電池モジュールの更に他の実施形態を示す部分拡大図である。
【００４９】
図６に示されるように、燃料電池モジュールＦＣｃは、第二容器７１及び第一容器７２の各フランジ部７１ａ，７２ａの外周に沿って溶接部分６０が形成され、それぞれの外周端部が全周にわたって溶接で接合されている。なお、仕切板１３の外周端部が、各フランジ部７１ａ，７２ａの外周端部よりも内側になるように位置調整されており、仕切板１３と各フランジ部７１ａ，７２ａとは溶接されずに、各フランジ部７１ａ，７２ａ同士のみ溶接されて接合されている。
【００５０】
この燃料電池モジュールＦＣｃによれば、各フランジ部７１ａ，７２ａの外周端部を全周にわたって溶接されているので、各フランジ部７１ａ，７２ａの外周端部を全周にわたって気密に塞ぐことができ、より確実に燃料ガスの漏出を防止することができる。
【００５１】
尚、上述した本実施形態では、第一保持面７２ｂ及び第二保持面７１ｂをそれぞれフランジ部７２ａ，７１ａに形成したが、第一保持面７２ｂ及び第二保持面７１ｂの形成態様はこれに限られない。例えば、第一容器７２及び第二容器７１の側壁部分の厚みを十分に取って第一保持面７２ｂ及び第二保持面７１ｂを確保することも好ましい。また、例えば、フランジ部７２ａ，７１ａとは逆に、内側に突出するような鍔部を設けて第一保持面７２ｂ及び第二保持面７１ｂを確保することも好ましい。
【図面の簡単な説明】
【００５２】
【図１】本発明に係る燃料電池モジュールの一実施形態を示す概略断面図である。
【図２】本発明に係る燃料電池モジュールの一実施形態を示す部分拡大図である。
【図３】図１に示す燃料電池モジュールを備える燃料電池の構成を示す図である。
【図４】本発明に係る燃料電池モジュールの他の実施形態を示す部分拡大図である。
【図５】本発明に係る燃料電池モジュールの更に他の実施形態を示す部分拡大図である。
【図６】本発明に係る燃料電池モジュールの更に他の実施形態を示す部分拡大図である。
【符号の説明】
【００５３】
ＦＣ，ＦＣａ，ＦＣｂ，ＦＣｃ…燃料電池モジュール、２…燃料電池セル集合体、３…燃料電池セル、７…容器、１３…仕切板、１４…燃焼室、１５…発電室、７１…第二容器、７２…第一容器、７１ａ…フランジ部、７２ａ…フランジ部。
【図１】
2009176632.tif 000003
【図２】
2009176632.tif 000004
【図３】
2009176632.tif 000005
【図４】
2009176632.tif 000006
【図５】
2009176632.tif 000007
【図６】
2009176632.tif 000008